(57)【要約】【課題】操作中の動作についての案内を操作者に視認しやすく表示しつつ、並行して行われている各機能に基づく動作状況をユーザに把握させることができ、しかも、当該並行して行われている各機能に基づく動作状況を操作者が一度に確認可能となるようにする。【解決手段】並行して行われている前記各機能の動作状況を検出する動作状況検出部と、表示部に操作案内を表示させると共に、表示部の表示領域の一部をなす動作状況表示領域に、上記各機能の動作状況を順次切り替えて表示させる表示制御部と、上記検出された各機能の動作状況の全てを表示部に表示させる全動作状況表示指示を操作者から受け付ける指示受付部とを備え、表示制御部は、各機能の動作状況を動作状況表示領域に予め定められた数毎に順次切り替えて表示させているときに、指示受付キーに全動作状況表示指示が受け付けられると、全動作状況を示す全動作状況表示画面を表示部に表示させる。【選択図】図８
2008228228.tif 000002
【特許請求の範囲】
【請求項１】
複数の機能を実行可能な画像形成装置であって、
操作者に対して操作案内を表示する表示手段と、
並行して行われている前記各機能の動作状況を検出する動作状況検出手段と、
前記表示手段に前記操作案内を表示させると共に、前記表示手段の表示領域の一部をなす動作状況表示領域に、前記動作状況検出手段によって検出された前記各機能の動作状況を、予め定められた数毎に順次切り替えて表示させる表示制御手段と、
前記動作状況検出手段によって検出された前記各機能の動作状況の全てを、前記表示手段に表示させる全動作状況表示指示を操作者から受け付ける指示受付手段とを備え、
前記表示制御手段は、前記各機能の動作状況を前記動作状況表示領域に前記予め定められた数毎に順次切り替えて表示させているときに、前記指示受付手段に前記全動作状況表示指示が受け付けられた場合は、前記全動作状況を示す全動作状況表示画面を前記表示手段に表示させる画像形成装置。
【請求項２】
前記動作状況検出手段は、前記表示手段に表示されている操作案内が示す機能とは異なる各機能についての動作状況を検出する請求項１に記載の画像形成装置。
【請求項３】
前記表示手段は、操作者からの指示を受け付け可能なタッチパネル機能を備え、
前記表示制御手段は、前記各機能の動作状況を前記動作状況表示領域に前記予め定められた数毎に順次切り替えて表示させているとき、前記全動作状況表示指示を前記タッチパネル機能により操作者から受け付ける指示受付キーを、前記指示受付手段として前記表示手段に表示させる請求項１又は請求項２に記載の画像形成装置。
【請求項４】
前記全動作状況表示指示を前記タッチパネル機能により操作者から受け付ける指示受付キーが、前記動作状況表示領域部分である請求項３に記載の画像形成装置。
【請求項５】
前記表示手段は、操作者からの指示を受け付け可能なタッチパネル機能を備え、
前記表示制御手段は、前記全動作状況表示画面に、前記動作状況検出手段によって検出された前記各機能の動作状況と共に、当該各動作状況についての詳細な案内を表示させる案内報知指示を前記タッチパネル機能により操作者から受け付ける案内受付キーを、当該各動作状況毎に表示させ、当該案内受付キーに案内報知指示が受け付けられた場合には、この案内報知指示を受け付けた案内受付キーに対応する動作状況についての詳細な案内を前記表示手段に表示させる請求項１又は請求項２に記載の画像形成装置。
【請求項６】
前記表示手段は、操作者からの指示を受け付け可能なタッチパネル機能を備え、
操作者に対して、前記動作状況検出手段によって検出された前記各機能の動作状況を音声で報知する音声報知手段と、
前記音声報知手段を動作制御する動作制御手段とを備え
前記表示制御手段は、前記全動作状況表示画面に、前記動作状況検出手段によって検出された前記各機能の動作状況と共に、当該各動作状況についての詳細な案内を報知させる案内報知指示を前記タッチパネル機能により操作者から受け付ける案内受付キーを、当該各動作状況毎に表示させ、前記動作制御手段は、当該案内受付キーに案内報知指示が受け付けられた場合には、この案内報知指示を受け付けた案内受付キーに対応する動作状況についての詳細な案内を前記音声報知手段に音声で報知させる請求項１又は請求項２に記載の画像形成装置。
【発明の詳細な説明】
【技術分野】
【０００１】
本発明は、複写機、ファクシミリ装置、複合機等の画像形成装置に関する。
【背景技術】
【０００２】
従来から、コピー機能、ファクシミリ機能、プリンタ機能等を兼ね備えた画像形成装置（いわゆる複合機）では、上記複数の機能に基づく動作が並行して行われる場合がある。そのため、例えば、下記特許文献１に示される画像形成装置では、当該並行して行われている各機能に基づく動作状況をユーザに対して報知するため、表示部の表示画面に、当該複数の機能についての各動作状況を表示させている。
【特許文献１】特開平７−１３１５７５号公報
【発明の開示】
【発明が解決しようとする課題】
【０００３】
しかし、上記従来の画像形成装置は、ユーザが表示部の表示画面を視認すれば、複数の機能についての各動作状況を確認できるが、表示画面には複数の動作状況が同時に表示されるため、その時点で操作者が行っている操作についての案内を操作者が見づらくなる。
【０００４】
本発明は、上記問題点を解消するためになされたものであり、操作中の動作についての案内を操作者に視認しやすく表示しつつ、並行して行われている各機能に基づくそれぞれの動作状況をユーザに把握させることができ、しかも、当該並行して行われている各機能に基づくそれぞれの動作状況を操作者が一度に確認できる画像形成装置を提供することを目的とする。
【課題を解決するための手段】
【０００５】
本発明の請求項１に記載の発明は、複数の機能を実行可能な画像形成装置であって、
操作者に対して操作案内を表示する表示手段と、
並行して行われている前記各機能の動作状況を検出する動作状況検出手段と、
前記表示手段に前記操作案内を表示させると共に、前記表示手段の表示領域の一部をなす動作状況表示領域に、前記動作状況検出手段によって検出された前記各機能の動作状況を、予め定められた数毎に順次切り替えて表示させる表示制御手段と、
前記動作状況検出手段によって検出された前記各機能の動作状況の全てを、前記表示手段に表示させる全動作状況表示指示を操作者から受け付ける指示受付手段とを備え、
前記表示制御手段は、前記各機能の動作状況を前記動作状況表示領域に前記予め定められた数毎に順次切り替えて表示させているときに、前記指示受付手段に前記全動作状況表示指示が受け付けられた場合は、前記全動作状況を示す全動作状況表示画面を前記表示手段に表示させる画像形成装置である。
【０００６】
また、請求項２に記載の発明は、請求項１に記載の画像形成装置であって、前記動作状況検出手段は、前記表示手段に表示されている操作案内が示す機能とは異なる各機能についての動作状況を検出するものである。
【０００７】
これらの構成によれば、表示制御手段が、各機能の動作状況を動作状況表示領域に前記予め定められた数毎に順次切り替えて表示させているときに、全動作状況表示指示が受け付けられた場合には、表示制御手段は、全動作状況を示す全動作状況表示画面を表示手段に表示させるので、操作者が操作中の動作についての案内を操作者に視認しやすく表示しつつ、並行して行われている複数の機能に基づく各動作状況をユーザに把握させることができる。しかも、操作者は、当該並行して行われている複数の機能に基づく各動作状況を全動作状況表示画面により一度に確認することができる。
【０００８】
また、請求項３に記載の発明は、請求項１又は請求項２に記載の画像形成装置であって、前記表示手段は、操作者からの指示を受け付け可能なタッチパネル機能を備え、
前記表示制御手段は、前記各機能の動作状況を前記動作状況表示領域に前記予め定められた数毎に順次切り替えて表示させているとき、前記全動作状況表示指示を前記タッチパネル機能により操作者から受け付ける指示受付キーを、前記指示受付手段として前記表示手段に表示させるものである。
【０００９】
この構成によれば、操作者は、動作状況表示領域の指示受付キーを操作するだけで全動作状況表示指示を入力でき、全動作状況を示す全動作状況表示画面を表示手段に表示させることができる。
【００１０】
また、請求項４に記載の発明は、請求項３に記載の画像形成装置であって、前記全動作状況表示指示を前記タッチパネル機能により操作者から受け付ける指示受付キーを、前記動作状況表示領域部分としたものである。
【００１１】
この構成によれば、操作者は、表示画面の動作状況表示領域に触れるだけで全動作状況表示指示を入力でき、全動作状況を示す全動作状況表示画面を表示手段に表示させることができる。
【００１２】
また、請求項５に記載の発明は、請求項１又は請求項２に記載の画像形成装置であって、前記表示手段は、操作者からの指示を受け付け可能なタッチパネル機能を備え、
前記表示制御手段は、前記全動作状況表示画面に、前記動作状況検出手段によって検出された前記各機能の動作状況と共に、当該各動作状況についての詳細な案内を表示させる案内報知指示を前記タッチパネル機能により操作者から受け付ける案内受付キーを、当該各動作状況毎に表示させ、当該案内受付キーに案内報知指示が受け付けられた場合には、この案内報知指示を受け付けた案内受付キーに対応する動作状況についての詳細な案内を前記表示手段に表示させるものである。
【００１３】
この構成によれば、表示制御手段は、全動作状況表示画面に、各機能の動作状況と共に、当該各動作状況についての詳細な案内を表示させる案内報知指示を受け付ける案内受付キーを当該各動作状況毎に表示させ、案内報知指示を受け付けた案内受付キーに対応する動作状況についての詳細な案内を表示手段に表示させるので、操作者は、全動作状況表示画面による表示に案内されて簡単に、各動作状況についての詳細な案内を表示させる操作を行うことができる。また、操作者は、当該詳細な案内表示により、操作中の動作についての案内の視認性と、各機能の動作状況の視認性とを確保しつつ、各動作状況についての詳細な案内までを確認することができる。
【００１４】
また、請求項６に記載の発明は、請求項１又は請求項２に記載の画像形成装置であって、前記表示手段は、操作者からの指示を受け付け可能なタッチパネル機能を備え、
操作者に対して、前記動作状況検出手段によって検出された前記各機能の動作状況を音声で報知する音声報知手段と、
前記音声報知手段を動作制御する動作制御手段とを備え
前記表示制御手段は、前記全動作状況表示画面に、前記動作状況検出手段によって検出された前記各機能の動作状況と共に、当該各動作状況についての詳細な案内を報知させる案内報知指示を前記タッチパネル機能により操作者から受け付ける案内受付キーを、当該各動作状況毎に表示させ、前記動作制御手段は、当該案内受付キーに案内報知指示が受け付けられた場合には、この案内報知指示を受け付けた案内受付キーに対応する動作状況についての詳細な案内を前記音声報知手段に音声で報知させるものである。
【００１５】
この構成によれば、表示制御手段は、全動作状況表示画面に、各機能の動作状況と共に、当該各動作状況についての詳細な案内を表示させる案内報知指示を受け付ける案内受付キーを当該各動作状況毎に表示させ、案内報知指示を受け付けた案内受付キーに対応する動作状況についての詳細な案内を音声報知手段に音声で報知させるので、操作者は、全動作状況表示画面による表示に案内されて簡単に、各動作状況についての詳細な案内を報知させる操作を行うことができ、また、当該詳細な案内の報知により、操作者に対する、操作中の動作についての案内の視認性と、各機能の動作状況の視認性とを確保しつつ、各動作状況についての詳細な案内までを音声で確認することができる。この場合、当該詳細な案内が音声で報知されることにより、詳細な案内を表示画面に表示する場合よりも、操作者に対する、操作中の動作についての案内の視認性と、各機能の動作状況の視認性とを更に確保することができる。
【発明の効果】
【００１６】
請求項１及び請求項２に記載の発明によれば、操作者が操作中の動作についての案内を操作者に視認しやすく表示しつつ、並行して行われている複数の機能に基づく各動作状況をユーザに把握させることができ、しかも、当該並行して行われている複数の機能に基づく各動作状況を操作者が一度に確認することができる。
【００１７】
請求項３に記載の発明によれば、操作者は、動作状況表示領域の指示受付キーを操作するだけで全動作状況表示指示を入力でき、全動作状況を示す全動作状況表示画面を表示手段に表示させることができる。
【００１８】
請求項４に記載の発明によれば、操作者は、表示画面における、各機能の動作状況が表示されている動作状況表示領域に触るだけで全動作状況表示指示を入力でき、全動作状況を示す全動作状況表示画面を表示手段に表示させることができる。
【００１９】
請求項５に記載の発明によれば、操作者は、全動作状況表示画面による表示に案内されて簡単に、各動作状況についての詳細な案内を表示させる操作を行うことができる。また、操作者は、当該詳細な案内表示により、操作中の動作についての案内の視認性と、各機能の動作状況の視認性とを確保しつつ、各動作状況についての詳細な案内までを確認することができる。
【００２０】
請求項６に記載の発明によれば、操作者は、全動作状況表示画面による表示に案内されて簡単に、各動作状況についての詳細な案内を報知させる操作を行うことができ、また、当該詳細な案内の報知により、操作者に対する、操作中の動作についての案内の視認性と、各機能の動作状況の視認性とを確保しつつ、各動作状況についての詳細な案内までを音声で確認することができる。さらには、当該詳細な案内が音声で報知されることにより、詳細な案内を表示画面に表示する場合よりも、操作者に対する、操作中の動作についての案内の視認性と、各機能の動作状況の視認性とを更に確保することができる。
【発明を実施するための最良の形態】
【００２１】
以下、本発明に係る表示装置及びこれを備えた画像形成装置について説明する。図１は、本発明の一実施形態に係る画像形成装置の一例である複合機の構成を示す側面概略図である。図２は、操作部４００の部分拡大図である。複合機１は、スキャナ機能、ファクシミリ機能、プリンタ機能、コピー機能等を兼ね備えている。複合機１は、本体部２００と、本体部２００の用紙搬出側、例えば左側に配設された用紙後処理部３００と、操作者が種々の操作指令等を入力するための操作部４００と、本体部２００の上部に配設された原稿読み取り部５００と、原稿読み取り部５００の上部に配設された原稿給送部６００とから構成される。
【００２２】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、及び機能切換キー４３４等を備える。
【００２３】
ヘルプキー４３１は、操作者から、スキャナ機能、ファクシミリ機能、プリンタ機能、コピー機能等に関する各操作方法を表示する操作案内画面（ヘルプ画面）を表示部４１０に表示させる指示を受け付けるものである。
【００２４】
スタートキー４３２は、コピー動作やスキャン動作等の各動作を開始させる指示を操作者から受け付ける。テンキー４３３は、コピー部数を指定する指示等を操作者から受け付けるキーである。機能切換キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００２５】
表示部（表示手段）４１０は、ＬＣＤ（Liquid Crystal Display）等からなり、タッチパネルを組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００２６】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２７】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２８】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２９】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００３０】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００３１】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、ＨＤＤ（ハードディスクドライブ）７４、ファクシミリ通信部７５、及び報知部７６を備える。
【００３２】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００３３】
画像処理部２１は、補正部２２、画像加工部２３及び画像メモリ２４を含む。画像処理部２１は、読み取られた画像を必要に応じて補正部２２及び画像加工部２３により処理する。画像処理部２１によって処理された画像は印刷用に画像メモリ２４に記憶され、又はプリンタ部３１に出力される。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００３４】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００３５】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像及び当該画像に設定されている出力形式等を記憶する。
【００３６】
操作部４００は、図１及び図２に示したように表示部４１０、操作キー部４３０を備える。表示部４１０は、タッチパネル機能により各種指示の入力を受け付ける複数のキーを表示制御部５２２による制御の下で表示する。例えば、表示部４１０には、指示受付キー４１１と、案内受付キー４１２（後述する案内受付キー４１２ａ乃至４１２ｄの総称）とが表示される。指示受付キー（指示受付手段）４１１は、動作状況検出部５２３によって検出された各動作状況が、動作状況表示領域に表示されているときに、動作状況検出部５２３によって検出された全ての動作状況が表示される全動作状況表示画面を表示させる全動作状況表示指示を、タッチパネル機能により操作者から受け付けるキーである。案内受付キー４１２は、全動作状況表示画面に全動作状況が表示されているときに、各動作状況に対応させて、それぞれの動作状況についての詳細な案内を表示又は報知させる案内報知指示をタッチパネル機能により操作者から受け付けるキーである。なお、指示受付キー４１１は、ヘルプキー４３１等と同様に、操作キー部４３０に、機械的構成でなるキーとして設けられてもよい。
【００３７】
操作キー部４３０には、図２に示した機能切換キー４３４、スタートキー４３２、テンキー４３３等が設けられている。制御部５１のＣＰＵ５２は、上記表示部４１０及び操作部４００の各キーから、操作者によって入力された指示を受け付ける。
【００３８】
ファクシミリ通信部７５は、符号化／復号化部（図示省略）、変復調部（図示省略）及びＮＣＵ（Network Control Unit）（図示省略）を含む。ファクシミリ通信部７５は、スキャナ部１１によって読み取られた原稿の画像データを電話回線を介してファクシミリ装置等へ送信したり、ファクシミリ装置等から送信された画像データを受信したりする。符号化／復号化部は、送信する画像データを圧縮・符号化し、受信した画像データを伸長・復号化する。変復調部は、圧縮・符号化された画像データを音声信号に変調し、受信した信号（音声信号）を画像データに復調する。ＮＣＵは、送受信先となるファクシミリ装置等との電話回線による接続を制御する。
【００３９】
報知部（音声報知手段）７６は、スピーカ等からなり、動作制御部５２１によってその動作が制御される。
【００４０】
制御部５１は、ＣＰＵ５２と、データ記憶部５３とを備える。ＣＰＵ５２は、複合機１の動作制御を司るものである。データ記憶部５３は、操作者に対する操作案内を表示するための各種データや、スキャナ機能、ファクシミリ機能、プリンタ機能、コピー機能等の各機能の動作状況を表示するための画像データ（画像、文字、記号等の各データを含む）を記憶している。さらに、データ記憶部５３は、動作状況検出部５２３によって検出された各動作状況の全てを表示する全動作状況表示画面を表示するために必要な画像データや、当該全動作状況表示画面に表示されている各動作状況についてのそれぞれの詳細な案内を表示させるために必要な画像データを記憶している。また、データ記憶部５３は、上記全動作状況表示画面に表示されている各動作状況についてのそれぞれの詳細な案内を報知部７６に音声で報知させるための音声データを記憶している。
【００４１】
ＣＰＵ５２は、動作制御部５２１、表示制御部５２２、及び動作状況検出部５２３を備える。動作制御部（動作制御手段）５２１は、複合機１の各部（スキャナ部１１，画像処理部２１、プリンタ部３１、報知部７６等）の動作制御を司る。動作制御部５２１は、詳細な案内を報知するための音声データをデータ記憶部５３から読み出して報知部７６に報知させる。
【００４２】
表示制御部（表示制御手段）５２２は、表示部４１０の表示動作を制御する。表示制御部５２２は、データ記憶部５３から操作案内画面の表示や、動作状況検出部５２３によって検出された各動作状況の表示に必要な画像データ、上記全動作状況表示画面用のデータ、及び詳細な案内表示用のデータを読み出して表示部４１０に表示させる。
【００４３】
動作状況検出部（動作状況検出手段）５２３は、並行して行われている上記各機能についての動作状況を検出する。動作状況検出部５２３は、表示制御部５２２が表示部４１０に表示させている操作案内が示す機能に加え、当該操作案内が示す機能とは異なる各機能についての動作状況も検出する。
【００４４】
次に、複合機１による、表示部４１０に各機能の動作状況を表示する際における処理の第１実施形態について説明する。図４は、表示部４１０に各機能の動作状況を表示する際における処理の第１実施形態を示すフローチャート、図５乃至図８は表示部４１０の表示画面の一例を示す図である。
【００４５】
複合機１の主電源が操作者によってオンにされると、表示制御部５２２は、表示部４１０に図５に示すような初期画面Ａを表示させる（Ｓ１）。本実施形態では、表示制御部５２２は、初期画面Ａの一例として、表示部４１０に、コピー機能の動作条件が設定可能な表示画面を表示させる。
【００４６】
表示制御部５２２が、表示部４１０に初期画面Ａを表示させているときに、操作者が、操作キー部４３０の機能切換キー４３４又はスタートキー４３２等を押下して、表示制御部５２２に、コピー機能以外の他の機能への機能切替指示又はコピー動作の開始指示が受け付けられると（Ｓ２でＹＥＳ）、表示制御部５２２は、操作者によって押下された機能切換キー４３４に対応する機能の動作条件が設定可能な表示画面、又はコピー動作中であることを示す案内画面を表示部４１０に表示させる（Ｓ３）。
【００４７】
上記初期画面Ａの表示（Ｓ１）、操作者からの上記指示入力の待機（Ｓ２）、及び上記動作条件の入力が可能な表示画面又はコピー動作中の案内画面表示（Ｓ３）の各処理が行われると共に、動作状況検出部５２３は、表示部４１０の操作案内画面で案内されているコピー動作の動作状況に加えて、当該コピー動作と並行して行われている他の各機能の動作状況を検出する処理も行う（Ｓ４）。
【００４８】
複合機１においては、例えば、コピー動作中であっても、公衆回線により外部から送られてきたファクシミリデータの受信や、データ機密性確保のためのＨＤＤ７４の上書き消去動作等は、コピー動作と並行して実行可能である。また、図略のトナーコンテナ内のトナーが残り少なくなったこと等は、コピー動作中であっても、トナーコンテナに設けられたトナー残量検知センサ等からの信号に基づいてＣＰＵ５２が検出可能である。このため、複合機１においては、動作状況検出部５２３が、操作案内画面で案内しているコピー動作の動作状況と共に、当該コピー動作と並行して行われている他の各機能の動作状況も検出する。なお、本実施形態でいう「各機能の動作状況」には、コピー機能、ファクシミリ機能、プリンタ機能、スキャナ機能の動作状況だけでなく、当該トナー残量表示のように、複合機１の各部の状況を示すものも含むものとする。
【００４９】
動作状況検出部５２３が、並行して行われている各機能についての動作状況を検出した場合（Ｓ５でＹＥＳ）、表示制御部５２２は、検出された各機能の動作状況（以下、単に各動作状況という）を、表示部４１０の表示画面における所定の動作状況表示領域に表示させる（Ｓ６）。また、表示制御部５２２は、この動作状況表示領域に、指示受付キー４１１を表示させる。所定の動作状況表示領域として、表示制御部５２２は、例えば図６に示すように、表示部４１０の表示領域の一部をなす領域であって、その時点で表示されている操作案内画面を表示する領域以外の部分（すなわち、当該操作案内画面の表示を害さない一部領域）を設定する。表示制御部５２２は、当該動作状況表示領域に、上記検出された各動作状況を、予め定められた数（本実施形態では当該予め定められた数は1）毎に順次切り替えて表示する。
【００５０】
例えば、動作状況検出部５２３によって、トナー残量が少なくなったことと、ＨＤＤ上書き消去中、プリントデータ受信、Ａ５用紙が残り僅か、の４つの動作状況が検出されたとき、表示制御部５２２は、図６に示すように、まずトナー残量が少なくなったことを示すメッセージを動作状況表示領域に表示させ、次に図７に示すように、ＨＤＤ上書き消去中のメッセージを動作状況表示領域に表示させる。表示制御部５２２は、この後、図示はしないが、プリントデータ受信、Ａ５用紙が残り僅かの旨のメッセージを、表示部４１０に順次切り替えて表示させる。
【００５１】
なお、上記Ｓ５乃至Ｓ８では、動作状況検出部５２３は、その時点で表示されている操作案内画面で案内する機能の動作を含め、並行して行われている各機能についての動作状況を検出し、表示制御部５２２が、検出された全動作状況を動作状況表示領域に表示するが、これに代えて、表示制御部５２２は、その時点で表示されている操作案内画面で案内する機能の動作状況は、当該操作案内画面を別の表示画面に切り替えて表示し、これ以外のバックグラウンドで並行して動作している機能の動作状況は、上記動作状況表示領域に表示するようにしてもよい。以下に示す各実施形態について同様である。
【００５２】
表示部４１０の動作状況表示領域に、表示制御部５２２が、上記各動作状況を順次切り替えて表示させているとき、操作者の操作により、指示受付キー４１１に、動作状況検出部５２３によって検出された各動作状況の全てを表示部４１０に表示させる全動作状況表示指示が受け付けられると（Ｓ７でＹＥＳ）、表示制御部５２２は、当該全動作状況表示画面用のデータをデータ記憶部５３から読み出して、図８に示すような全動作状況表示画面Ｂを、例えばポップアップ表示により、その時点で表示されている操作案内画面に重ねて表示部４１０に表示させる（Ｓ８）。
【００５３】
なお、本第１実施形態では、表示制御部５２２が、指示受付キー４１１を動作状況表示領域に表示させ、操作者による操作で当該指示受付キー４１１に全動作状況表示指示が受け付けられたときに、全動作状況表示画面Ｂを表示部４１０に表示させるようにしているが、これに代えて、表示制御部５２２は、指示受付キー４１１を動作状況表示領域に表示させないようにし、操作者により当該動作状況表示領域の一部が押下されたときに、タッチパネル機能によって全動作状況表示指示が受け付けられ、この全動作状況表示指示が受け付けられたときに、表示制御部５２２が、全動作状況表示画面Ｂを表示部４１０に表示させるようにしてもよい。以下の実施形態についても同じである。
【００５４】
このように、表示制御部５２２が、動作状況検出部５２３によって検出された各動作状況を動作状況表示領域に予め定められた数毎に順次切り替えて動作状況表示領域に表示させると共に、指示受付キー４１１に上記全動作状況表示指示が受け付けられると、全動作状況を示す全動作状況表示画面Ｂを表示部４１０に表示させることにより、操作者は、操作中の動作についての案内を上記操作案内画面で視認すると共に、当該動作と並行して行われている他の各機能に基づくそれぞれの動作状況も把握することができる。さらに、操作者は、上記当該並行して行われている各機能に基づくそれぞれの動作状況を一度に確認することもできる。
【００５５】
次に、複合機１による、表示部４１０に各機能の動作状況を表示する際における処理の第２実施形態について説明する。図９は、表示部４１０に各機能の動作状況を表示する際における処理の第２実施形態を示すフローチャート、図１０及び図１１は表示部４１０の表示画面の一例を示す図である。なお、第１実施形態と同様の処理は説明を省略する。
【００５６】
第２実施形態では、第１実施形態と同様に、指示受付キー４１１に上記全動作状況表示指示が受け付けられると（Ｓ１７でＹＥＳ）、表示制御部５２２は、全動作状況表示画面Ｂを表示部４１０に表示させるが（Ｓ１８）、このとき、表示制御部５２２は、図１０に示すように、全動作状況表示画面Ｂ内に、各動作状況と共に、それぞれの動作状況を示す画像に隣接する位置に、案内受付キー４１２ａ乃至４１２ｄを表示させる。各案内受付キー４１２ａ乃至４１２ｄは、隣接する動作状況に対応付けられている。それぞれの案内受付キーは、対応する動作状況についての詳細な案内を表示させる案内報知指示を、タッチパネル機能により操作者から受け付ける。
【００５７】
そして、操作者による操作で案内受付キー４１２ａ乃至４１２ｄのいずれかが押下され、案内受付キー４１２ａ乃至４１２ｄのいずれかに案内表示指示が受け付けられると（Ｓ１９でＹＥＳ）、表示制御部５２２は、当該押下された案内受付キー４１２に対応する動作状況についての詳細な案内を示す表示画面を表示部４１０に表示させる（Ｓ２０）。例えば、表示制御部５２２が、表示部４１０に全動作状況表示画面Ｂを表示させているときに、トナーが残り僅かであることを示す動作状況に対応する案内受付キー４１２ａが操作者により押下され、当該トナーが残り僅かであることを示す動作状況についての詳細な案内を表示させる案内報知指示が受け付けられると、表示制御部５２２は、当該詳細な案内に対応する画像データをデータ記憶部５３から読み出し、詳細な案内として、図１１に示すようなトナー補給方法を示す表示画面Ｃを表示部４１０に表示させる。
【００５８】
このように、表示制御部５２２が、操作者による案内受付キーの押下により案内報知指示が受け付けられたときに、押下された案内受付キーに対応する詳細な案内を表示部４１０に表示させることにより、操作者は、全動作状況表示画面による表示に案内されて簡単に、各動作状況についての詳細な案内を表示させる操作を行うことができる。また、当該詳細な案内表示により、操作者は、操作中の動作についての案内の視認性と、各機能の動作状況の視認性とを確保しつつ、各動作状況についての詳細な案内までを確認することができる。
【００５９】
また、このようなトナー補給方法を示す表示画面Ｃ等を、詳細な案内として、表示制御部５２２が表示部４１０に表示させる代わりに、動作制御部５２１が、操作者により押下された案内受付キーに対応する動作状況の詳細な説明の音声データをデータ記憶部５３から読み出して再生し、報知部７６に音声で報知させるようにしてもよい。この場合、詳細な案内を表示画面に表示する場合よりも、操作者に対する、操作中の動作についての案内の視認性と、各機能の動作状況の視認性とを更に確保することができる。
【００６０】
なお、上記図１乃至図１１に示した実施形態に係る構成及び処理は、本発明に係る画像形成装置の構成及び処理の単なる一例に過ぎず、本発明に係る画像形成装置の構成及び処理を上記に示した内容に限定するものではない。
【００６１】
また、上記各実施形態では、本発明に係る画像形成装置を複合機１として説明したが、本発明に係る画像形成装置は複合機に限定されず、コピー機、ファクシミリ装置、プリンタ等でも構わない。
【図面の簡単な説明】
【００６２】
【図１】本発明の一実施形態に係る画像形成装置の一例である複合機の構成を示す側面概略図である。
【図２】操作部の部分拡大図である。
【図３】図１に示す複合機の制御ブロック図である。
【図４】表示部に各機能の動作状況を表示する際における処理の第１実施形態を示すフローチャートである。
【図５】表示部の表示画面の一例を示す図である。
【図６】表示部の表示画面の一例を示す図である。
【図７】表示部の表示画面の一例を示す図である。
【図８】表示部の表示画面の一例を示す図である。
【図９】表示部に各機能の動作状況を表示する際における処理の第２実施形態を示すフローチャートである。
【図１０】表示部の表示画面の一例を示す図である。
【図１１】表示部の表示画面の一例を示す図である。
【符号の説明】
【００６３】
１        複合機
５３      データ記憶部
７５      ファクシミリ通信部
７６      報知部
４１０    表示部
４１１    指示受付キー
４１２ａ〜４１２ｄ  案内受付キー
４３０    操作キー部
４３４    機能切換キー
５２      ＣＰＵ
５２１    動作制御部
５２２    表示制御部
５２３    動作状況検出部
【図１】
2008228228.tif 000003
【図２】
2008228228.tif 000004
【図３】
2008228228.tif 000005
【図４】
2008228228.tif 000006
【図５】
2008228228.tif 000007
【図６】
2008228228.tif 000008
【図７】
2008228228.tif 000009
【図８】
2008228228.tif 000010
【図９】
2008228228.tif 000011
【図１０】
2008228228.tif 000012
【図１１】
2008228228.tif 000013